(57)【要約】【課題】弾性シール部が外れる可能性が低く、かつ、必要なときに適正に変形され得る不陸調整部材およびこの不陸調整部材を有した造作部材を提供する。【解決手段】不陸調整部材Ａは、床面３または天井面４からなる第１の面と壁面５との交差部７、８に沿って配設される造作部材の本体に取り付けられる不陸調整部材であって、本体１０の第１の面側の端部１０ａに取着される硬質樹脂材よりなる固定部２０と、固定部２０の第１の面側に突出した軟質樹脂材によりなる弾性シール部３０とを備えており、弾性シール部３０は、中空空間３１の全周を囲んでなる筒状部３２を有し、筒状部３２の外面の周方向の一部が固定部２０のすくなくとも外方端部２１に接合した状態に固定部２０と一体形成されている。【選択図】図１
2019078129.tif 000002
【特許請求の範囲】
【請求項１】
床面または天井面からなる第１の面と壁面との交差部に沿って配設される造作部材の本体に取り付けられる不陸調整部材であって、
前記本体の前記第１の面側の端部に取着される硬質樹脂材よりなる固定部と、該固定部の前記第１の面側に突出した軟質樹脂材によりなる弾性シール部とを備えており、
前記弾性シール部は、中空空間の全周を囲んでなる筒状部を有し、該筒状部の外面の周方向の一部が前記固定部のすくなくとも外方端部に接合した状態に前記固定部と一体形成されていることを特徴とする不陸調整部材。
【請求項２】
請求項１において、
前記弾性シール部は、前記筒状部の外面より突出した、前記本体に係合される係合片を有しており、
前記係合片の基部の内側面と、該内側面に連なる前記筒状部の外面とにより形成された接合面が、前記固定部の前記外方端部の角部にあてがわれるように接合されていることを特徴とする不陸調整部材。
【請求項３】
請求項２において、
前記係合片の外側面と、該外側面に連なる前記筒状部の表面側外面とは、前記壁面に略平行で略面一な面とされており、
前記中空空間は、前記第１の面側において、前記壁面に向けて突出した形状とされることを特徴とする不陸調整部材。
【請求項４】
請求項１〜３において、
前記筒状部の前記本体の厚さ方向に対応した寸法が、前記第１の面側から前記固定部側に向けて徐々に小さくなっていることを特徴とする不陸調整部材。
【請求項５】
請求項１〜４のいずれか１項の不陸調整部材を前記本体に取り付けてなることを特徴とする造作部材。
【発明の詳細な説明】
【技術分野】
【０００１】
本発明は、床面または天井面からなる第１の面と壁面との交差部に沿って配設される造作部材の本体に取り付けられる不陸調整部材、および、その不陸調整部材を有した造作部材に関する。
【背景技術】
【０００２】
この種の不陸調整部材は、造作部材（たとえば幅木）の本体と第１の面（幅木の場合、床面）との間にできた、第１の面の不陸による隙間を塞ぐためのものである。このような目的のために、不陸調整部材における第１の面に接触する部位には軟質樹脂材によりなる弾性シール部が設けられたものが種々提案されている（たとえば、特許文献１、２参照）。
【０００３】
特許文献１、２の不陸調整部材はいずれも、造作部材の本体に固定される硬質樹脂材よりなる固定部と、その固定部に接合された弾性シール部とを備えている。弾性シール部はシート状の材料を湾曲させた形状とされ、弾性シール部の一端が上記固定部に接合され、第１の面側の部位が湾曲しており、その湾曲部の外面が第１の面に接触することで弾性変形するように形成されている。
【先行技術文献】
【特許文献】
【０００４】
【特許文献１】特開２０１１−６９０９７号公報
【特許文献２】特開２０００−２７３９７６号公報
【発明の概要】
【発明が解決しようとする課題】
【０００５】
しかしながら、特許文献１のものは弾性シール部の他端が開放状態にあるため、変形がしやすい反面、押圧されたときに、前方（反壁面方向）に飛び出るように変形して美観を損ねてしまうおそれがある。
【０００６】
一方、特許文献２のものは弾性シール部の他端が固定部の裏面に接合されているため前方に飛び出るように変形するおそれはない。しかし、弾性シール部の他端の固定部への接合面積が小さく、輸送等の際に接触などにより外れてしまうおそれがある。このように弾性シール部の一部が固定部から外れてしまうと当然に弾性力が弱まり、不陸調整部材として機能しなくなるおそれがある。
【０００７】
本発明は、以上のような点を考慮して提案されたもので、その目的は、弾性シール部が外れる可能性が低く、かつ、必要なときに適正に変形され得る不陸調整部材およびこの不陸調整部材を有した造作部材を提供することにある。
【課題を解決するための手段】
【０００８】
上記目的を達成するために、本発明の不陸調整部材は、床面または天井面からなる第１の面と壁面との交差部に沿って配設される造作部材の本体に取り付けられる不陸調整部材であって、前記本体の前記第１の面側の端部に取着される硬質樹脂材よりなる固定部と、該固定部の前記第１の面側に突出した軟質樹脂材によりなる弾性シール部とを備えており、前記弾性シール部は、中空空間の全周を囲んでなる筒状部を有し、該筒状部の外面の周方向の一部が前記固定部のすくなくとも外方端部に接合した状態に前記固定部と一体形成されていることを特徴とする。
【０００９】
また、本発明の造作部材は、上記不陸調整部材を本体に取り付けてなることを特徴とする。
【発明の効果】
【００１０】
本発明の不陸調整部材および造作部材は、上述した構成とされているため、弾性シール部が外れる可能性が低く、かつ、必要なとき（造作部材が所定の位置に取り付けられたとき）に適正に変形され得る。
【図面の簡単な説明】
【００１１】
【図１】本発明の一実施形態に係る造作部材（不陸調整部材）の説明図である。（ａ）は同造作部材の縦断面図、（ｂ）は同造作部材の一部拡大分解縦断面図である。
【図２】（ａ）は同不陸調整部材の縦断面図、（ｂ）は同分解縦断面図である。
【図３】本発明の他の実施形態に係る造作部材の縦断面図である。本実施形態においては、不陸調整部材として図１のものと同一のものが天地を逆にして利用してある。
【図４】（ａ）〜（ｆ）は、不陸調整部材の他の形状例を示した縦断面図である。
【発明を実施するための形態】
【００１２】
以下に、本発明の実施の形態について、添付図面にもとづいて説明する。
まず、以下の複数の実施形態に係る不陸調整部材Ａの共通の概略基本構成について説明する。
【００１３】
本不陸調整部材Ａは、床面３または天井面４からなる第１の面と壁面５との交差部７に沿って配設される造作部材１の本体１０に取り付けられる部材である。この不陸調整部材Ａは、本体１０の第１の面３、４側の端部１０ａに取着される硬質樹脂材よりなる固定部２０と、固定部２０の第１の面３、４側に突出した軟質樹脂材によりなる弾性シール部３０とを備えている。また、弾性シール部３０は、中空空間３１の全周を囲んでなる筒状部３２を有し、筒状部３２の外面３２ａの周方向の一部が固定部２０のすくなくとも外方端部２１に接合した状態に固定部２０と一体形成されている。
【００１４】
本不陸調整部材Ａを本体１０に取り付けてなる造作部材としては、幅木１（図１、図２に例示）と、廻り縁２（図３に例示）とが挙げられる。以下、それらについて順次説明する。
【００１５】
図１および図２は、幅木１用の不陸調整部材Ａと、その不陸調整部材Ａを取り付けた幅木１の説明図である。幅木１は、第１の面とされる床面３と壁面５との交差部７（入隅部）に沿って配設される造作部材１である。
【００１６】
幅木１の本体１０は、室内の交差部７に沿って配設されるように、帯状に形成されている。本体１０の素材としては、たとえば木質系材料や、合成樹脂系材料、金属系材料等が挙げられる。
【００１７】
本体１０の表面の上部側には、長手方向に沿って、意匠用、固定具打ち込み用等を目的とした表面溝１１が形成してある。さらに、本体１０の床面３側の端部１０ａ（下端部）の底面には、長手方向に沿って凹溝１２が形成してある。さらに、下端部１０ａより表面側へ連なる本体１０の表面下部には、長手方向に沿って凹段部１３が形成してある。これらの凹溝１２および凹段部１３は、不陸調整部材Ａを取り付けるための嵌合部、係合部とされる。
【００１８】
不陸調整部材Ａは、図１および図２に示すように、本体１０の下端部１０ａに取着される固定部２０と、この固定部２０の下方側に配された、板状の固定部２０と一体化されてなる弾性シール部３０とを備えている。以下、固定部２０と弾性シール部３０について個別に説明する。
【００１９】
固定部２０には、本体１０の凹溝１２に挿入、装着される、固定部２０における幅木１の厚さ方向の略中央より上方に突出した装着片２５が付加一体化されており、全体として略Ｔ字状に形成されている。この装着片２５は、その表裏に、凹溝１２への挿入方向面を外側に下り傾斜させた複数の装着突条２６、２６を有している。これらの装着突条２６、２６により、装着片２５は凹溝１２に挿入がしやすく、脱離がしにくくされている。なお、装着片２５は固定部２０と同様に硬質樹脂材で製されればよいが、装着突条２６のみが軟質材で形成されたものとしてもよい。
【００２０】
一方、弾性シール部３０は、図１および図２に示すように、幅木１の長手方向に延びた中空空間３１を有した筒状部３２と、筒状部３２の外面３２ａより突出した、幅木１の本体１０に係合される係合片３３とを備えている。
【００２１】
係合片３３の基部３３ａの内側面３３ｂと、それに連なる筒状部３２の外面３２ａとにより断面視Ｌ字状の接合面３４（図２（ｂ）において２点鎖線を付して図示）が形成されている。弾性シール部３０は、この接合面３４が固定部２０の外方端部２１の角部２２にあてがわれるように、固定部２０に接合されている。また、係合片３３の外側面３３ｃと、それに連なる筒状部３２の表面側外面３２ｂとは、壁面５に略平行で略面一な面とされている。なお、表面側外面３２ｂの床面３側の角部３２ｃはアール状に形成されている。
【００２２】
また、中空空間３１は、第１の面（床面３）側において、壁面５に向けて突出した形状とされている。すなわち、床面３に接触する部位の面積が大きくなっており、弾性シール部３０の全体形状として安定したものとなっている。
【００２３】
さらに、本実施形態の例では、筒状部３２の本体１０の厚さ方向に対応した寸法が、床面３側から固定部２０側に向けて徐々に小さくなっている。つまり、図２（ａ）（ｂ）等に示すように、弾性シール部３０（筒状部３２）の上部における、本体１０の厚さ方向に相当する寸法Ｌ２が、筒状部３２の底部側の寸法Ｌ１よりも十分に小さくなっている。
【００２４】
このように、筒状部３２の上部側をすぼめた形状としているため、弾性シール部３０が固定部２０に対して接合する接合面３４のうちの、固定部２０の裏面２３に対する接合部位の寸法は小さくなっている。
【００２５】
固定部２０と弾性シール部３０との一体形成は、硬軟２色による押出成形または射出成形によりなされることが望ましいが、これらには限定されず、接着剤で接合されるようにしてもよい。
【００２６】
以上に説明した不陸調整部材Ａによれば、不陸調整部材Ａが弾性シール部３０を有した構成であるため、幅木１を交差部７に取り付けたときの床面３の不陸を弾性シール部３０により吸収して調整することができる。特に、弾性シール部３０の主たる部分が筒状部３２で構成されているため、筒状部３２が破れることがない限り弾性が変化することはなく、必要なときにつまり幅木１が所定の位置に取り付けられたときに、適正に変形され得る。
【００２７】
また、弾性シール部３０の筒状部３２は、シート体の一端と他端とを固定部２０に個別に接合して中空空間３１を形成したもの（特許文献２参照）ではないため、輸送等の際に、一端が外れるといったおそれは当然にない。もちろん、弾性シール部３０と固定部２０との接合が弱くなった場合でも中空空間３１が外部に露出するおそれはない。したがって、弾性シール部３０は固定部２０から一部が外れたとしても弾性力が弱まるようなおそれはなく、よって不陸調整部材Ａとしての機能が低下する可能性はきわめて低い。
【００２８】
さらに、弾性シール部３０の底部側が本体１０の厚さ方向に広く、かつ、筒状部３２の表面側外面３２ｂが床面３に対し略垂直な面をなしているため、上方からの押圧によって安定した扁平状態に変形する。つまり、筒状部３２が押しつぶされて表面側に飛び出る可能性はきわめて低い。また、幅木１の床面３側の下端部においても本体１０の表面と同様、壁面５に平行な面が形成されているため、不陸調整部材Ａにより美観が損なわれるおそれもない。さらに、表面側外面３２ｂの下部側の角部３２ｃがアール状に形成してあるため、床面３に対し上方から押圧された場合でも、最下端部が前方に突出するおそれはなく、美観が保たれ得る。
【００２９】
また、本実施形態のように、弾性シール部３０の固定部２０に対する接合は、外方端部２１に対してなされ、特に上記接合面３４を固定部２０の角部２２にあてがうようになされることが望ましい。このように折曲した接合面が形成されているため、接合力が強化され、弾性シール部３０が脱離することを防止できる。
【００３０】
また、本実施形態では上述したように、固定部２０の裏面２３に対する弾性シール部３０の接合面積を小さくし、全体の接合面積も小さいものとされている。そのため、２色成形の場合、樹脂硬化の際の周囲の引き込み量をより小さくでき、引き込みによる形状の変化を発生しにくくすることができる。したがって、安定した均一形状の不陸調整部材Ａを量産することができる。
【００３１】
以上には幅木１を造作部材とした実施形態について説明したが、図３に示すように本発明に係る不陸調整部材Ａは、廻り縁２を造作部材としたものについても適用することができる。図３に示した廻り縁２には、幅木１（図１参照）に用いられたものと同形状の本体１０および不陸調整部材Ａが用いられ、相互の連結についても同様であり、形状としても同一である。つまり図３の例では、幅木１として使用した図１に示したものを、天地を逆にして使用している。この廻り縁２は、天井面４からなる第１の面と壁面５との交差部８に沿って配設される。なお、本体１０の各部および不陸調整部材Ａの各部については、同一の符号を付して、その説明は省略する。
【００３２】
また、不陸調整部材Ａの他の形状例としては、図４（ａ）〜（ｆ）のものが挙げられる。図４（ａ）〜（ｃ）は幅木１用のものであり、これらを図４（ｄ）〜（ｆ）のように天地を逆にして、廻り縁２用に利用することができる。
【００３３】
図４のいずれのものも弾性シール部３０が筒状部３２をなしているため、弾性シール部３０の一部が固定部２０から外れたとしても弾性力が弱まるおそれはなく、不陸調整部材Ａとしての機能が低下する可能性はきわめて低い。また、固定部２０と弾性シール部３０とは断面視Ｌ字状の接合面３４により接合されているため、接合強度は高く、弾性シール部３０が外れる可能性はきわめて低い。
【００３４】
なお、これらについても、図１のものと同様、第１の面に接触する部位の面積は大きくなっており、係合片３３の外側面３３ｃと筒状部３２の表面側外面３２ｂとが略面一で壁面５に略平行であり、角部３２ｃはアール状に形成されている。
【符号の説明】
【００３５】
１          幅木（造作部材）
２          廻り縁（造作部材）
３          床面（第１の面）
４          天井面（第１の面）
５          壁面
７、８      交差部
１０        本体
１０ａ      第１の面側の端部
Ａ          不陸調整部材
２０        固定部
２１        外方端部
２２        角部
３０        弾性シール部
３１        中空空間
３２        筒状部
３２ａ      外面
３２ｂ      表面側外面
３３        係合片
３３ａ      基部
３３ｂ      内側面
３３ｃ      外側面
３４        接合面
【図１】
2019078129.tif 000003
【図２】
2019078129.tif 000004
【図３】
2019078129.tif 000005
【図４】
2019078129.tif 000006